(57)【要約】      （修正有）【課題】解析対象に応じた、有限要素モデルの自動的な簡易化及び削除処理と、解析必要となる入力条件の自動入力処理により、解析にかかる工数と計算時間の削減を図ることで、解析工数の効率化を達成するデータ解析装置を提供する。【解決手段】緩衝材挙動シミュレート処理を実行する場合、操作画面において、処理対象の前記緩衝材及び前記構造物を表示する表示処理４と、前記構造物を剛体に変換する変換処理と、シミュレート結果によって得られる前記緩衝材から前記剛体である構造物に加わる時系列変化する衝撃力をメモリに格納する格納処理とを備える。また、構造物枠構造挙動シミュレート処理を実行する場合、操作画面に表示されている緩衝材を削除するとともに、メモリに格納されている衝撃力を入力として設定する設定処理を備える。【選択図】  図１Ａ
2006172019.tif 000002
【特許請求の範囲】
【請求項１】
緩衝材に包装された構造物の落下現象による、前記構造物及び前記緩衝材の挙動をシミュレートすることで、落下問題に対する前記構造物及び前記緩衝材の設計を支援するデータ解析装置であって、
前記緩衝材の挙動をシミュレートする緩衝材挙動シミュレート手段と、
前記構造物の枠構造の挙動をシミュレートする構造物枠構造挙動シミュレート手段と、
前記緩衝材挙動シミュレート手段及び前記構造物枠構造挙動シミュレート手段を実行するための操作画面を表示部に表示制御する表示制御手段と、
前記緩衝材挙動シミュレート手段を実行する場合、前記操作画面において、処理対象の前記緩衝材及び前記構造物を表示する表示処理と、前記構造物を剛体に変換する変換処理と、シミュレート結果によって得られる前記緩衝材から前記剛体である構造物に加わる時系列変化する衝撃力をメモリに格納する格納処理を実行する処理手段とを備え、
前記処理手段は、前記構造物枠構造挙動シミュレート手段を実行する場合、前記操作画面に表示されている緩衝材を削除するとともに、前記メモリに格納されている前記衝撃力を入力として設定する処理を実行する
ことを特徴とするデータ解析装置。
【請求項２】
前記変換処理は、前記構造物を構成する部品の物性を変更する
ことを特徴とする請求項１に記載のデータ解析装置。
【請求項３】
前記格納処理は、前記構造物と前記緩衝材の各接触部における各節点に加わる力の合計と接触面積から圧力に変換して、この圧力の時系列変化を、前記衝撃力の時系列変化の情報として前記メモリに格納する
ことを特徴とする請求項１に記載のデータ解析装置。
【請求項４】
前記格納処理は、前記構造物と前記緩衝材の各接触部における、各節点に加わる力の時系列変化を、前記衝撃力の時系列変化の情報として前記メモリに格納する
ことを特徴とする請求項１に記載のデータ解析装置。
【請求項５】
前記格納処理は、前記構造物と前記緩衝材の各接触部における、各要素に加わる圧力の時系列変化を、前記衝撃力の時系列変化の情報として前記メモリに格納する
ことを特徴とする請求項１に記載のデータ解析装置。
【請求項６】
前記設定処理は、前記構造物枠構造挙動シミュレート手段に対する入力情報として、前記メモリに格納されている情報を選択する選択処理を備え、
前記選択処理による選択がなされた情報を、前記構造物枠構造挙動シミュレート手段に対する入力情報として、前記操作画面に表示される前記構造物の枠構造内の前記緩衝材との接触部に設定される
ことを特徴とする請求項１に記載のデータ解析装置。
【請求項７】
緩衝材に包装された構造物の落下現象による、前記構造物及び前記緩衝材の挙動をシミュレートすることで、落下問題に対する前記構造物及び前記緩衝材の設計を支援するデータ解析装置の制御方法であって、
前記緩衝材の挙動をシミュレートする緩衝材挙動シミュレート工程と、
前記構造物の枠構造の挙動をシミュレートする構造物枠構造挙動シミュレート工程と、
前記緩衝材挙動シミュレート工程及び前記構造物枠構造挙動シミュレート工程を実行するための操作画面を表示部に表示制御する表示制御工程と、
前記緩衝材挙動シミュレート工程を実行する場合、前記操作画面において、処理対象の前記緩衝材及び前記構造物を表示する表示処理と、前記構造物を剛体に変換する変換処理と、シミュレート結果によって得られる前記緩衝材から前記剛体である構造物に加わる時系列変化する衝撃力をメモリに格納する処理を実行する第１の処理工程と、
前記構造物枠構造挙動シミュレート工程を実行する場合、前記操作画面に表示されている緩衝材を削除するとともに、前記メモリに格納されている前記衝撃力を入力として設定する処理を実行する第２の処理工程と
を備えることを特徴とするデータ解析装置の制御方法。
【請求項８】
緩衝材に包装された構造物の落下現象による、前記構造物及び前記緩衝材の挙動をシミュレートすることで、落下問題に対する前記構造物及び前記緩衝材の設計を支援するデータ解析装置の制御を実現するプログラムであって、
前記緩衝材の挙動をシミュレートする緩衝材挙動シミュレート工程のプログラムコードと、
前記構造物の枠構造の挙動をシミュレートする構造物枠構造挙動シミュレート工程のプログラムコードと、
前記緩衝材挙動シミュレート工程及び前記構造物枠構造挙動シミュレート工程を実行するための操作画面を表示部に表示制御する表示制御工程とのプログラムコード、
前記緩衝材挙動シミュレート工程を実行する場合、前記操作画面において、処理対象の前記緩衝材及び前記構造物を表示する表示処理と、前記構造物を剛体に変換する変換処理と、シミュレート結果によって得られる前記緩衝材から前記剛体である構造物に加わる時系列変化する衝撃力をメモリに格納する処理を実行する第１の処理工程のプログラムコードと、
かつ、前記構造物枠構造挙動シミュレート工程を実行する場合、前記操作画面に表示されている緩衝材を削除するとともに、前記メモリに格納されている前記衝撃力を入力として設定する処理を実行する第２の処理工程のプログラムコードと
を備えることを特徴とするプログラム。
【発明の詳細な説明】
【技術分野】
【０００１】
本発明は、緩衝材に包装された構造物の落下現象による、前記構造物及び前記緩衝材の挙動をシミュレートすることで、落下問題に対する前記構造物及び前記緩衝材の設計を支援するデータ解析装置及びその制御方法、プログラムに関するものである。
【背景技術】
【０００２】
緩衝材に包装された構造物枠構造の落下問題に対する強度保証を効率的に達成するためには、製品設計段階での検討及び評価が望ましいが、実際には製品ができ上がってから実機の落下試験を実施して、形状や材料を試行錯誤で変更しながらの評価を行っているというのが現状である。
【０００３】
その結果、設計変更、落下試験の繰り返しが必要となり、製品の開発期間の遅延や開発コストの増大に繋がっている。
【０００４】
これらの課題を解決するための手段として、有限要素法等の数値解析手段による汎用のプログラムにより、衝突・落下問題に対する解析が可能になっている。
【０００５】
また、３次元構造物の衝撃解析を高精度に行う手法として、特許文献１に示されているような、合成樹脂発泡体をハニカムモデルで置き換え３軸方向に同一の応力―歪み関係を定義して動的解析を行う方法が提案されている。また、特許文献２に示されているような、有限要素法による動的応力解析において、構造物の欠陥周囲のひずみエネルギー解放率が限界ひずみエネルギー解放率に達するまでの衝撃エネルギー吸収量から構造物の衝撃強度を求める手法などが提案されている。
【特許文献１】特開平５−２２３７１１号公報
【特許文献２】特開平９−３０４２５７号公報
【発明の開示】
【発明が解決しようとする課題】
【０００６】
しかしながら、近年、製品の開発期間の短縮や開発コストの削減要求が高まり、短期間、小コストで信頼性のある製品の開発を実現する設計行為が要求されている。この流れを受けて、数値解析手法の製品への適用においても同様に、信頼性のある解析結果を短い適用期間で導出する必要が出てきた。
【０００７】
ところが現状では、解析により妥当な計算結果を得るためには高精度の有限要素モデルの作成が必要になる場合があり、また、解析規模の増大にしたがって解析に要する時間が非常に大きくなる場合もある。このため、ケースによっては製品の開発期間に対して、数値解析手法を適用して解析結果を出すまでに期間がかかりすぎ、実際の適用が困難になるという課題があった。
【０００８】
本発明は上記の課題を解決するためになされたものであり、高精度の有限要素モデルの作成が必要な場合や、解析に要する時間が大きな場合にも、解析対象に応じた、有限要素モデルの自動的な簡易化及び削除処理と、解析必要となる入力条件の自動入力処理により、解析にかかる工数と計算時間の削減を図ることで、解析工数の効率化を達成するデータ解析装置及びその制御方法、プログラムを提供することを目的とする。
【課題を解決するための手段】
【０００９】
上記の目的を達成するための本発明によるデータ解析装置は以下の構成を備える。即ち、
緩衝材に包装された構造物の落下現象による、前記構造物及び前記緩衝材の挙動をシミュレートすることで、落下問題に対する前記構造物及び前記緩衝材の設計を支援するデータ解析装置であって、
前記緩衝材の挙動をシミュレートする緩衝材挙動シミュレート手段と、
前記構造物の枠構造の挙動をシミュレートする構造物枠構造挙動シミュレート手段と、
前記緩衝材挙動シミュレート手段及び前記構造物枠構造挙動シミュレート手段を実行するための操作画面を表示部に表示制御する表示制御手段と、
前記緩衝材挙動シミュレート手段を実行する場合、前記操作画面において、処理対象の前記緩衝材及び前記構造物を表示する表示処理と、前記構造物を剛体に変換する変換処理と、シミュレート結果によって得られる前記緩衝材から前記剛体である構造物に加わる時系列変化する衝撃力をメモリに格納する格納処理を実行する処理手段とを備え、
前記処理手段は、前記構造物枠構造挙動シミュレート手段を実行する場合、前記操作画面に表示されている緩衝材を削除するとともに、前記メモリに格納されている前記衝撃力を入力として設定する処理を実行する。
【００１０】
上記の目的を達成するための本発明によるデータ解析装置の制御方法は以下の構成を備える。即ち、
緩衝材に包装された構造物の落下現象による、前記構造物及び前記緩衝材の挙動をシミュレートすることで、落下問題に対する前記構造物及び前記緩衝材の設計を支援するデータ解析装置の制御方法であって、
前記緩衝材の挙動をシミュレートする緩衝材挙動シミュレート工程と、
前記構造物の枠構造の挙動をシミュレートする構造物枠構造挙動シミュレート工程と、
前記緩衝材挙動シミュレート工程及び前記構造物枠構造挙動シミュレート工程を実行するための操作画面を表示部に表示制御する表示制御工程と、
前記緩衝材挙動シミュレート工程を実行する場合、前記操作画面において、処理対象の前記緩衝材及び前記構造物を表示する表示処理と、前記構造物を剛体に変換する変換処理と、シミュレート結果によって得られる前記緩衝材から前記剛体である構造物に加わる時系列変化する衝撃力をメモリに格納する処理を実行する第１の処理工程と、
前記構造物枠構造挙動シミュレート工程を実行する場合、前記操作画面に表示されている緩衝材を削除するとともに、前記メモリに格納されている前記衝撃力を入力として設定する処理を実行する第２の処理工程と
を備える。
【００１１】
上記の目的を達成するための本発明によるプログラムは以下の構成を備える。即ち、
緩衝材に包装された構造物の落下現象による、前記構造物及び前記緩衝材の挙動をシミュレートすることで、落下問題に対する前記構造物及び前記緩衝材の設計を支援するデータ解析装置の制御を実現するプログラムであって、
前記緩衝材の挙動をシミュレートする緩衝材挙動シミュレート工程のプログラムコードと、
前記構造物の枠構造の挙動をシミュレートする構造物枠構造挙動シミュレート工程のプログラムコードと、
前記緩衝材挙動シミュレート工程及び前記構造物枠構造挙動シミュレート工程を実行するための操作画面を表示部に表示制御する表示制御工程のプログラムコードと、
前記緩衝材挙動シミュレート工程を実行する場合、前記操作画面において、処理対象の前記緩衝材及び前記構造物を表示する表示処理と、前記構造物を剛体に変換する変換処理と、シミュレート結果によって得られる前記緩衝材から前記剛体である構造物に加わる時系列変化する衝撃力をメモリに格納する処理を実行する第１の処理工程のプログラムコードと、
かつ、前記構造物枠構造挙動シミュレート工程を実行する場合、前記操作画面に表示されている緩衝材を削除するとともに、前記メモリに格納されている前記衝撃力を入力として設定する処理を実行する第２の処理工程のプログラムコードと
を備える。
【発明の効果】
【００１２】
本発明によれば、高精度の有限要素モデルの作成が必要な場合や、解析に要する時間が大きな場合にも、解析対象に応じた、有限要素モデルの自動的な簡易化及び削除処理と、解析必要となる入力条件の自動入力処理により、解析にかかる工数と計算時間の削減を図ることで、解析工数の効率化を達成するデータ解析装置及びその制御方法、プログラムを提供できる。
【発明を実施するための最良の形態】
【００１３】
以下、本発明の実施の形態について図面を用いて詳細に説明する。
【００１４】
図１Ａは本発明の実施形態のデータ解析システムの処理構成を示す図である。
【００１５】
図１Ａのデータ解析システムは、特に、緩衝材に包装された構造物の落下現象による、緩衝材と構造物枠構造の挙動をシミュレートすることで、落下問題に対する構造物設計、緩衝材設計を支援する落下衝撃解析システムを実現する。
【００１６】
このデータ解析システムは、大きく分けて、モデル作成部１、条件設定部２、解析部３、及び結果表示部４の４つの構成を有している。また、解析部３は、更に、緩衝材挙動シミュレート部５と構造物枠構造挙動シミュレート部６の２つのシミュレート部によって構成されている。
【００１７】
モデル作成部１は、構造物枠構造の構成部品と緩衝材を、有限要素と節点からなる有限要素モデルで表現する。条件設定部２は、構造物枠構造の構成部品や緩衝材に関する材料特性、物理特性、落下条件等のシミュレートに関するシミュレート条件を入力する。解析部３は、構造物枠構造の挙動を計算する。結果表示部４は、解析部３の解析結果を表示する。
【００１８】
また、解析部３の緩衝材挙動シミュレート部５は、緩衝材挙動シミュレートを実行する際に、自動的に構造物を剛体に変換する処理と、緩衝材挙動シミュレートによって得られる緩衝材から剛体である構造物に加わる時系列変化する衝撃力をメモリに格納する処理を有している。
【００１９】
また、解析部３の構造物枠構造シミュレート部６は、構造物枠構造挙動シミュレートを実行する際に、自動的に緩衝材を削除して、メモリに格納された衝撃力を入力として自動的に設定する処理を有している。
【００２０】
尚、モデル作成部１は、予めメモリ等に記憶されている構造物枠構造の構成部品と緩衝材に関するデータから、処理対象のデータを取得して、そのデータに基づいて、構造物枠構造の構成部品と緩衝材に対する有限要素モデルを作成する。また、このメモリは、例えば、図１Ｂで説明する、ＲＡＭ１２０２やＨＤＤ１２０４によって実現される。
【００２１】
次に、データ解析システムを実現するハードウェア構成について、図１Ｂを用いて説明する。
【００２２】
図１Ｂは本発明の実施形態のデータ解析システムを実現するハードウェア構成を示す図である。
【００２３】
１２０１はＣＰＵであり、ＲＡＭ１２０２やＲＯＭ１２０３に格納されているプログラムやデータを用いて、端末（コンピュータ）全体の制御を行うとともに、本コンピュータを適用するパラメータ調整装置２００が行う後述する各処理を実行する。
【００２４】
１２０２はＲＡＭであり、ＨＤＤ（ハードディスクドライブ）１２０４からロードされたプログラムやデータを一時的に記憶するためのエリアを有するとともに、ＣＰＵ１２０１が各種処理を行うために使用するワークエリアを備える。
【００２５】
１２０３はＲＯＭであり、コンピュータのブートプログラムやＢＩＯＳ等の各種プログラムを記憶している。１２０４はＨＤＤ（ハードディスクドライブ）であり、ＯＳ（オペレーティングシステム）や、本コンピュータを適用するデータ解析システムが行う後述の処理をＣＰＵ１２０１に実行させるためのプログラムやデータ等の各種データを保存しており、これらは必要に応じてＣＰＵ１２０１の制御によりＲＡＭ１２０２に読み出され実行されることになる。
【００２６】
１２０５はネットワークＩ／Ｆ（インタフェース）であり、コンピュータをネットワーク３００に接続するためのものである。コンピュータは、このネットワークＩ／Ｆ１２０５を介して外部機器とデータ通信を行うことが可能である。
【００２７】
１２０６は記憶媒体ドライブであり、ＣＤ−ＲＯＭ、ＣＤ−Ｒ／ＲＷ、ＤＶＤ―ＲＯＭ、ＤＶＤ−Ｒ／ＲＷ、ＤＶＤ−ＲＡＭ等から構成される。
【００２８】
１２０７はポインティングデバイス、１２０８はキーボードであり、各種の指示をＣＰＵ１２０１に入力することができる。これらは、入力部（ユーザＩ／Ｆ部）として処理する。
【００２９】
１２０９はビデオＩ／Ｆ（インタフェース）であり、ここにディスプレイ装置１２１０を接続する。ディスプレイ装置１２１０はＣＲＴや液晶画面等で構成されており、ビデオＩ／Ｆ１２０９を介して送られた信号に基づいて、文字や画像等の情報を表示画面上に表示する処理を有する。
【００３０】
１２１１は外部機器Ｉ／Ｆ（インタフェース）であり、コンピュータに周辺機器を接続させるためのポートである。この外部機器Ｉ／Ｆ１２１１を介してコンピュータは、周辺機器とのデータの送受信を行うことが可能であるＳＣＳＩ、ＵＳＢ、ＩＥＥＥ１３９４等の各種インタフェースで構成することが可能でおり、通常複数の外部機器Ｉ／Ｆを有する。また、周辺機器との接続形態は有線／無線を問わない。
【００３１】
次に、本実施形態のデータ解析システムを実現するための操作画面について、図２を用いて説明する。
【００３２】
図２は本発明の実施形態のデータ解析システムの操作画面の構成を示す図である。
【００３３】
ＣＰＵ１２０１の制御によって、ディスプレイ装置１２１０に表示される操作画面１００は、各種処理の切替を行なうメニューバー７、各種処理のサブ構成メニュー８、作成した有限要素モデルや処理結果が表示されるグラフィック画面９、システムメッセージの出力および必要に応じ数値入力を行なうコマンド欄１０で構成される。
【００３４】
メニューバー７では、各種処理が割り当てられた各種ボタンコントロールが構成されている。ここでは、モデル作成部１、条件設定部２、解析部３及び結果表示部４それぞれの処理を実現するボタンコントロール（モデル作成ボタン７ａ、条件設定ボタン７ｂ、解析ボタン７ｃ、結果表示ボタン７ｄ）が構成されている。
【００３５】
尚、操作画面１００に対する操作は、例えば、ポインティングデバイス１２０７によって、画面上に表示されるカーソル（不図示）や、キーボード１２０８を用いて実現することができる。
【００３６】
まず、モデル作成部１の動作について説明する。
【００３７】
解析に必要な有限要素モデルを作成するために、メニューバー７中のモデル作成ボタン７ａを操作すると、モデル作成部１は、操作画面１００のサブ構成メニュー８に、図３に示すボタンコントロールを表示する。
【００３８】
図３において、サブ構成メニュー８には、要素作成ボタン８Ａ、節点作成ボタン８Ｂ、修正ボタン８Ｃ等の、実際の構造物や緩衝材の形状に基づいた有限要素モデルを作成するための処理ボタンが構成される。各処理ボタンの操作を、サブ構成メニュー８から実施すると、割り当てられた処理による処理結果がグラフィック画面９上に反映される。
【００３９】
尚、図３のグラフィック画面９では、一例として、構造物２０１とその緩衝材２０２が表示されている構成を示している。
【００４０】
また、各種処理を実行するためのコントロールは、ボタンコントロールに限定されるものではなく、メニューコントロール等の他のコントロールで実現しても良い。
【００４１】
次に、モデル作成部１による有限要素モデルの作成が終了した後、条件設定部２の動作へ移行する。
【００４２】
条件設定部２への移行はメニューバー７中の条件設定ボタン７ｂを操作することで実施され、これにより、図４に示すように、サブ構成メニュー８に材料特性定義ボタン８Ｄ、物理特性定義ボタン８Ｅ、落下条件定義ボタン８Ｆ等の条件設定を行うための処理ボタンが表示される。このサブ構成メニュー８内の各種処理ボタンによって、条件設定を実施することにより、モデル作成部１において作成した有限要素モデルへの条件設定が完了し、解析に移ることが可能となる。
【００４３】
解析部３の動作への移行はメニューバー７中の解析ボタン７ｃを操作することで実施され、これにより、図５に示すように、サブ構成メニュー８に緩衝材挙動シミュレートボタン８Ｇ、枠構造挙動シミュレートボタン８Ｈが表示される。
【００４４】
図６をもとに、緩衝材の挙動をシミュレートする際に自動的に構造物を剛体に変換する処理について説明する。
【００４５】
図５のサブ構成メニュー８内の緩衝材挙動シミュレートボタン８Ｇを選択すると、図６に示すように、サブ構成メニュー８内に、剛体への変換処理である、剛体変換ボタン８Ｉ、計算実行ボタン８Ｊ、衝撃力格納ボタン８Ｋが表示される。ここで、剛体変換ボタン８Ｉを選択すると、モデル作成部１によって作成された有限要素モデルの内、構造物を構成する部品の物性が自動的に剛体に変更される。
【００４６】
この剛体への変換が完了した段階で、計算実行が可能となり、図６のサブ構成メニュー８内の計算実行ボタン８Ｊを選択すると、運動方程式を解いて緩衝材挙動を計算するプログラムが実行される。
【００４７】
続いて、図７をもとに、緩衝材挙動シミュレート結果によって得られる、緩衝材から剛体である構造物に加わる時系列変化する衝撃力を格納する処理について説明する。
【００４８】
緩衝材挙動の計算が完了すると、サブ構成メニュー８内の衝撃力格納ボタン８Ｋの使用が可能となり、これを選択すると、緩衝材挙動のシミュレート結果から得られる、緩衝材から剛体である構造物に加わる時系列変化する衝撃力を、下記の３つの形式でメモリに格納する。
【００４９】
（１）構造物と緩衝材の各接触部における各節点に加わる力の合計と接触面積から圧力に変換して、この圧力の時系列変化を、衝撃力の時系列変化の情報として格納する。
【００５０】
（２）構造物と緩衝材の各接触部における、各節点に加わる力の時系列変化を、衝撃力の時系列変化の情報として格納する。
【００５１】
（３）構造物と緩衝材の各接触部における、各要素に加わる圧力の時系列変化を、衝撃力の時系列変化の情報として格納する。
【００５２】
以上により、解析部３内の緩衝材挙動シミュレートが完了し、続いて、構造物枠構造挙動シミュレートの実施が可能となる。
【００５３】
次に、図８をもとに、構造物枠構造挙動シミュレートを実行する際に、自動的に緩衝材をグラフィック画面から削除し、緩衝材挙動シミュレート結果から得られる衝撃力を入力として自動的に設定する処理について説明する。
【００５４】
メニューバー７中の解析ボタン７ｃを操作すると、図８に示すように、サブ構成メニュー８に、緩衝材挙動シミュレートボタン８Ｇ及び枠構造挙動シミュレートボタン８Ｈが表示される。この中から、枠構造挙動シミュレートボタン８Ｈを選択すると、このボタンを選択した時点で、緩衝材２０２を構成する有限要素モデルが自動的に削除され、構造物２０１の有限要素モデルのみがグラフィック画面９に表示される。
【００５５】
同時に、図９に示すように、サブ構成メニュー８に、衝撃力の選択メニューである、接触面圧力ボタン８Ｌ、各節点圧力ボタン８Ｍ、各要素圧力ボタン８Ｎ及び計算実行ボタン８Ｏが表示される。これらのボタンは、緩衝材挙動シミュレート結果としてメモリに格納された衝撃力の情報に関して、接触面圧力ボタン８Ｌが（１）、各節点圧力ボタン８Ｍが（２）、各要素圧力ボタン８Ｎが（３）に相当する。メニューから衝撃力を選択すると、自動的に枠構造挙動シミュレーションの入力情報として枠構造の有限要素モデル内の緩衝材との接触部に自動的に設定される。
【００５６】
この設定が終了した時点で、計算実行が可能となり、図９のサブ構成メニュー８内の計算実行ボタン８Ｏを選択することで、運動方程式を解いて構造物枠構造の挙動を計算するプログラムが実行される。
【００５７】
尚、図９では、接触面圧力ボタン８Ｌを操作した場合の例を示しており、この場合、構造物２０１には、その接触面圧力が発生する位置（緩衝材との接触部）を示す矢印画像２０３が表示（設定）されるとともに、その表示向きが、接触面圧力が発生する位置に応じて変更される。図９では、図８の構造物２０１に対し、その表示向きが上下逆転されている。
【００５８】
結果表示部４の動作は、メニューバー７中の結果表示ボタン７ｄを操作することで実施される。結果表示ボタン７ｄを操作すると、図１０に示すように、サブ構成メニュー８に、変位・コンタ表示ボタン８Ｐ、プロット表示ボタン８Ｑ等の結果表示を行うための処理ボタンが表示される。このように、結果表示部４により、緩衝材と構造物枠構造の挙動の評価が可能となる。
【００５９】
以上説明したように、本実施形態によれば、解析対象に応じた、有限要素モデルの自動的な簡易化及び削除と、解析が必要となる入力条件の自動入力を実現することで、高精度の有限要素モデルの作成が必要な場合や解析に要する時間が大きな場合にも、解析にかかる工数と計算時間の削減を可能とする。また、解析工数の効率化を図ることで、緩衝材の挙動と構造物枠構造の評価を効率的に行うことができる。
【００６０】
以上、実施形態例を詳述したが、本発明は、例えば、システム、装置、方法、プログラムもしくは記憶媒体等としての実施態様をとることが可能であり、具体的には、複数の機器から構成されるシステムに適用しても良いし、また、一つの機器からなる装置に適用しても良い。
【００６１】
尚、本発明は、前述した実施形態の処理を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００６２】
従って、本発明の処理をコンピュータで実現するために、該コンピュータにインストールされるプログラムコード自体も本発明を実現するものである。つまり、本発明は、本発明の処理を実現するためのコンピュータプログラム自体も含まれる。
【００６３】
その場合、プログラムの処理を有していれば、オブジェクトコード、インタプリタにより実行されるプログラム、ＯＳに供給するスクリプトデータ等の形態であっても良い。
【００６４】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６５】
その他、プログラムの供給方法としては、クライアントコンピュータのブラウザを用いてインターネットのホームページに接続し、該ホームページから本発明のコンピュータプログラムそのもの、もしくは圧縮され自動インストール処理を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の処理をコンピュータで実現するためのプログラムファイルを複数のユーザに対してダウンロードさせるＷＷＷサーバも、本発明に含まれるものである。
【００６６】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６７】
また、コンピュータが、読み出したプログラムを実行することによって、前述した実施形態の処理が実現される他、そのプログラムの指示に基づき、コンピュータ上で稼動しているＯＳなどが、実際の処理の一部または全部を行ない、その処理によっても前述した実施形態の処理が実現され得る。
【００６８】
さらに、記録媒体から読み出されたプログラムが、コンピュータに挿入された処理拡張ボードやコンピュータに接続された処理拡張ユニットに備わるメモリに書き込まれた後、そのプログラムの指示に基づき、その処理拡張ボードや処理拡張ユニットに備わるＣＰＵなどが実際の処理の一部または全部を行ない、その処理によっても前述した実施形態の処理が実現される。
【図面の簡単な説明】
【００６９】
【図１Ａ】本発明の実施形態のデータ解析システムの処理構成を示す図である。
【図１Ｂ】本発明の実施形態のデータ解析システムを実現するハードウェア構成を示す図である。
【図２】本発明の実施形態のデータ解析システムの操作画面の構成を示す図である。
【図３】本発明の実施形態のモデル作成部の操作を行う場合の操作画面の一例を示す図である。
【図４】本発明の実施形態の条件設定部の操作を行う場合の操作画面の一例を示す図である。
【図５】本発明の実施形態の解析部の操作を行う場合の操作画面の一例を示す図である。
【図６】本発明の実施形態の緩衝材挙動シミュレート処理を説明するための図である。
【図７】本発明の実施形態の緩衝材挙動シミュレート処理を説明するための図である。
【図８】本発明の実施形態の緩衝材挙動シミュレート処理を説明するための図である。
【図９】本発明の実施形態の緩衝材挙動シミュレート処理を説明するための図である。
【図１０】本発明の実施形態の結果表示部の操作を行う場合の操作画面の一例を示す図である。
【符号の説明】
【００７０】
１  モデル作成部
２  条件設定部
３  解析部
４  結果表示部
５  緩衝材挙動シミュレート部
６  構造物枠構造シミュレート部
【図１Ａ】
2006172019.tif 000003
【図１Ｂ】
2006172019.tif 000004
【図２】
2006172019.tif 000005
【図３】
2006172019.tif 000006
【図４】
2006172019.tif 000007
【図５】
2006172019.tif 000008
【図６】
2006172019.tif 000009
【図７】
2006172019.tif 000010
【図８】
2006172019.tif 000011
【図９】
2006172019.tif 000012
【図１０】
2006172019.tif 000013